(57)【要約】【課題】製氷効率を損なうことなく洗浄運転を行う。【解決手段】製氷機は、循環経路に製氷水を循環させる通常洗浄モードおよび該循環経路に薬剤を循環させる特別洗浄モードのうちの選択されたモードで洗浄運転を実施可能に構成されている。通常洗浄モードによる洗浄運転では、循環経路の洗浄等の各動作を制御手段で制御して自動的に行うと共に、特別洗浄モードによる洗浄運転では、薬剤の供給や循環経路の洗浄等の各動作を制御手段で制御して自動的に行うよう構成される。【選択図】図１
2013245923.tif 000002
【特許請求の範囲】
【請求項１】
製氷水タンク(26)から製氷部(22)に製氷水を導くと共に製氷部(22)から流下した製氷水を製氷水タンク(26)に回収するよう構成された循環経路に循環手段(PM)で製氷水を循環させて、冷凍機(14)により冷却された製氷部(22)で氷塊を生成する製氷運転と、冷凍機(14)により製氷部(22)を加熱して氷塊を離脱させる除氷運転を繰り返すよう構成された製氷機において、
前記製氷水タンク(26)に製氷水を供給する給水手段(38)と、
前記製氷水タンク(26)に薬剤を供給する薬剤供給手段(42)と、
前記製氷水タンク(26)に貯留した製氷水または薬剤を該製氷水タンク(26)から外部に排出する排液手段(27,28)と、
前記冷凍機(14)、循環手段(PM)、排液手段(27,28)、給水手段(38)および薬剤供給手段(42)を作動制御し、前記製氷部(22)を冷却または加熱しない状態で前記循環経路に製氷水を循環させる通常洗浄モードおよび該循環経路に薬剤を循環させる特別洗浄モードのうちの選択されたモードで洗浄運転を行わせる制御手段(C)とを備え、
前記通常洗浄モードにおいて、前記給水手段(38)によって前記製氷水タンク(26)に供給された製氷水を前記循環手段(PM)で圧送して前記循環経路を製氷水で洗浄するよう、前記制御手段(C)により作動制御し、
前記特別洗浄モードにおいて、前記排液手段(27,28)により製氷水が排出された前記製氷水タンク(26)に対して前記薬剤供給手段(42)で薬剤を供給し、製氷水タンク(26)の薬剤を前記循環手段(PM)で圧送して前記循環経路を薬剤で洗浄し、排液手段(27,28)により薬剤を排出するよう、前記制御手段(C)により作動制御する構成とした
ことを特徴とする製氷機。
【請求項２】
前記特別洗浄モードにおいて、薬剤で前記循環経路を洗浄した後に、前記排液手段(27,28)により薬剤が排出された前記製氷水タンク(26)に対して前記給水手段(38)で製氷水を供給し、製氷水タンク(26)の製氷水を前記循環手段(PM)で圧送して循環経路を製氷水ですすいだ後に排液手段(27,28)で製氷水を排出するよう、前記制御手段(C)により作動制御する構成とした請求項１記載の製氷機。
【請求項３】
前記洗浄運転の開始を判定する洗浄判定手段(50,51)を備え、該洗浄判定手段(50,51)の判定結果に応じて通常洗浄モードまたは特別洗浄モードを自動的に選択するよう構成した請求項１または２記載の製氷機。
【発明の詳細な説明】
【技術分野】
【０００１】
この発明は、製氷水が循環する経路を洗浄する洗浄運転を行う製氷機に関するものである。
【背景技術】
【０００２】
製氷機は、製氷運転において、水道等の水源に繋がる給水手段から製氷水タンクに供給された製氷水を、冷凍機構で冷却された製氷室にポンプによって供給し、製氷室で氷を徐々に成長させると共に、製氷室で氷結しなかった製氷水を製氷水タンクに回収するようになっている。また、製氷機は、製氷水タンクに回収した製氷水をポンプによって製氷室に再び供給し、製氷水タンク、製氷室に製氷水を散水する水皿、製氷室および配管等からなる循環経路に製氷水を循環させることで、氷塊を生成している。製氷機は、製氷室に氷塊が生成されると製氷運転から除氷運転に切り替えられ、除氷運転において、製氷室を加熱することで離脱させた氷塊を貯氷室に貯留するようになっている。そして、製氷機は、製氷室から氷塊が離脱した後に、製氷水タンクに外部水源から製氷水を供給して製氷運転に移行し、貯氷室が満杯になるまで製氷運転と除氷運転とを交互に繰り返す製氷サイクルを行うことで多量の氷塊を自動的に生成し得るようになっている。
【０００３】
前記製氷水タンクに供給される製氷水には、カルシウムやマグネシウムなどのミネラル分等の様々なものが含まれているので、繰り返し製氷サイクルを行うことで、製氷室や配管等の前記循環経路に、前記ミネラル分が濃縮したスケールや水垢などの異物が付着してしまう。循環経路に異物が付着すると、該循環経路での水の循環量が低下して製氷不良や製氷時間の増加を招いたり、氷塊に異物が混入して得られる氷塊の清浄度を損なったりする等、種々の問題が生じる。そこで、通電された後に、製氷室に氷を生成させない程度の短い時間で製氷運転と同様に各機器を作動し、ポンプにより圧送された製氷水によって循環経路を洗浄する洗浄運転を行う製氷機が提案されている(特許文献１参照)。
【先行技術文献】
【特許文献】
【０００４】
【特許文献１】特許第２７５５７２８号公報
【発明の概要】
【発明が解決しようとする課題】
【０００５】
ところで、硬水を製氷水に用いる地域と軟水を製氷水に用いる地域とでは、循環経路に付着するスケール等の異物の量が異なり、異物の付着が多い場合には洗浄運転において製氷水を循環経路に循環させるだけでは、異物を十分に除去できないことがある。また、水垢などは、前述した特許文献１の製氷機の洗浄運転の如く製氷水を循環経路に循環させることで比較的容易に除去できるが、前記スケールは製氷水で押し流す物理的な方法だけで除去するのが難しい。循環経路にスケールを溶解させる薬剤を循環させる洗浄運転であれば、スケールを適切に除去することができるが、薬剤による洗浄運転を行う場合は、電源を切ったり、薬剤の供給に先立って水皿を傾動させて製氷水を排出したり、薬剤を製氷水タンクに供給したり、製氷水タンクに供給された薬剤を希釈しないように給水手段の元栓を閉じたり、水皿を傾動させて薬剤を製氷水タンクから排出したりするなどの各種操作を手動で行わなければならない。また、薬剤による洗浄運転では、給水手段の元栓など機内に配置された機器を操作する必要があるので、製氷機本体のパネルの取り外しを伴う非常に手間がかかる作業となってしまう。更に、薬剤洗浄を行うと氷塊に薬剤が混入するおそれがあるため、薬剤洗浄後の数サイクル分の氷塊を廃棄する必要もある。すなわち、生成する氷塊の清浄度を向上するためには薬剤による洗浄運転を行うべきであるが、薬剤による洗浄運転を行うことで製氷水による洗浄運転と比べて製氷サイクルを長く止めてしまうことから、製氷水による洗浄運転を薬剤による洗浄運転に全て置き換えると製氷効率が損なわれてしまう。
【０００６】
すなわち本発明は、従来の技術に係る製氷機に内在する前記問題に鑑み、これらを好適に解決するべく提案されたものであって、生成する氷塊の清浄度と製氷効率とをバランスよく成立させ得る製氷機を提供することを目的とする。
【課題を解決するための手段】
【０００７】
前記課題を克服し、所期の目的を達成するため、本願の請求項１に係る発明の製氷機は、
製氷水タンクから製氷部に製氷水を導くと共に製氷部から流下した製氷水を製氷水タンクに回収するよう構成された循環経路に循環手段で製氷水を循環させて、冷凍機により冷却された製氷部で氷塊を生成する製氷運転と、冷凍機により製氷部を加熱して氷塊を離脱させる除氷運転を繰り返すよう構成された製氷機において、
前記製氷水タンクに製氷水を供給する給水手段と、
前記製氷水タンクに薬剤を供給する薬剤供給手段と、
前記製氷水タンクに貯留した製氷水または薬剤を該製氷水タンクから外部に排出する排液手段と、
前記冷凍機、循環手段、排液手段、給水手段および薬剤供給手段を作動制御し、前記製氷部を冷却または加熱しない状態で前記循環経路に製氷水を循環させる通常洗浄モードおよび該循環経路に薬剤を循環させる特別洗浄モードのうちの選択されたモードで洗浄運転を行わせる制御手段とを備え、
前記通常洗浄モードにおいて、前記給水手段によって前記製氷水タンクに供給された製氷水を前記循環手段で圧送して前記循環経路を製氷水で洗浄するよう、前記制御手段により作動制御し、
前記特別洗浄モードにおいて、前記排液手段により製氷水が排出された前記製氷水タンクに対して前記薬剤供給手段で薬剤を供給し、製氷水タンクの薬剤を前記循環手段で圧送して前記循環経路を薬剤で洗浄し、排液手段により薬剤を排出するよう、前記制御手段により作動制御する構成としたことを要旨とする。
請求項１に係る発明によれば、循環経路への異物の付着度合いや製氷水の性状や使用環境などに応じて、製氷水によって循環経路を洗浄する通常洗浄モードと薬剤によって循環経路を洗浄する特別洗浄モードとを選択して洗浄運転を行うことができるので、製氷効率を損なうことなく得られる氷塊の清浄度を向上させることができる。また、洗浄運転は、通常洗浄モードおよび特別洗浄モードの何れもが制御手段の制御下に該当機器が作動制御されて自動的に行われるので、洗浄運転にかかる使用者の手間を大幅に軽減し得る。
【０００８】
請求項２に係る発明では、前記特別洗浄モードにおいて、薬剤で前記循環経路を洗浄した後に、前記排液手段により薬剤が排出された前記製氷水タンクに対して前記給水手段で製氷水を供給し、製氷水タンクの製氷水を前記循環手段で圧送して循環経路を製氷水ですすいだ後に排液手段で製氷水を排出するよう、前記制御手段により作動制御する構成としたことを要旨とする。
請求項２に係る発明によれば、特別洗浄モードにおいて、薬剤による循環経路の洗浄を行った後に、製氷水によって循環経路のすすぎを行うので、洗浄運転直後の製氷サイクルで生成された氷塊を除去することなくそのまま用いることができる。
【０００９】
請求項３に係る発明では、前記洗浄運転の開始を判定する洗浄判定手段を備え、該洗浄判定手段の判定結果に応じて通常洗浄モードまたは特別洗浄モードを自動的に選択するよう構成したことを要旨とする。
請求項３に係る発明によれば、洗浄判定手段によって洗浄運転の開始およびモードの選択が自動的に行われるので、洗浄運転忘れなどを防止することができ、使用者の管理の手間を軽減できる。
【発明の効果】
【００１０】
本発明に係る製氷機によれば、製氷効率を損なうことなく得られる氷塊の清浄度を向上させることができる。
【図面の簡単な説明】
【００１１】
【図１】本発明の好適な実施例に係る製氷機を示す概略図である。
【図２】実施例の製氷機構を一部破断して示す概略正面図であって、(ａ)は水皿が閉成姿勢にあり、(ｂ)は水皿が第１開放姿勢にあり、(ｃ)は水皿が第２開放姿勢にある。
【図３】図２(ｂ)のＡ−Ａ線断面図である。
【図４】実施例の製氷機の制御ブロック図である。
【図５】実施例の製氷機における製氷サイクルを示すフローチャート図である。
【図６】実施例の製氷機における通常洗浄モードによる洗浄運転を示すフローチャート図である。
【図７】実施例の製氷機における特別洗浄モードによる洗浄運転を示すフローチャート図である。
【図８】実施例の製氷機における通常洗浄モードによる洗浄運転および製氷サイクルを示すタイミングチャート図である。
【図９】実施例の製氷機における特別洗浄モードによる洗浄運転を示すタイミングチャート図である。
【発明を実施するための形態】
【００１２】
次に、本発明に係る製氷機につき、好適な実施例を挙げて、添付図面を参照して以下に説明する。
【実施例】
【００１３】
図１に示すように、実施例に係る製氷機１０は、所謂クローズドセルタイプの製氷機構１２と、蒸気圧縮冷凍機(単に冷凍機という)１４と、製氷機構１２および冷凍機１４を構成する機器を制御するマイクロコンピュータ等の制御手段Ｃ(図４参照)を備えている。また、製氷機１０は、各種設定を行う操作手段１６と、該製氷機１０の状態や設定内容などを表示する液晶や７セグメントなどの表示手段１８とを備え、操作手段１６および表示手段１８が制御手段Ｃに電気的に接続される(図４参照)。製氷機１０は、冷凍機１４との熱交換により製氷機構１２で氷塊を生成する製氷運転と、冷凍機１４との熱交換により製氷機構１２から氷塊を離脱する除氷運転とを交互に繰り返す製氷サイクルを行うよう構成される。また、製氷機１０には、除氷運転で製氷機構１２から離脱した氷塊を受け入れて貯留する貯氷室２０ａを有する貯氷庫２０が製氷機構１２の下方に設けられ、貯氷庫２０に設けられた開閉扉(図示せず)を開放することで貯氷室２０ａに貯留された氷塊を取り出し得るようになっている。更に、製氷機１０は、製氷機構１２において製氷水が循環する循環経路を製氷水と同じ水で洗浄する通常洗浄モードと該循環経路を薬剤で洗浄する特別洗浄モードとの何れかを選択して洗浄運転を行い得るよう構成される。なお、以下の説明において、製氷水および薬剤を総称する際には「液体」という。
【００１４】
前記製氷機構１２は、下向きに開口した製氷小室２２ａが多数形成された製氷室(製氷部)２２と、この製氷室２２の下方に配設され、製氷小室２２ａの下方開口を開閉可能な水皿２４と、この水皿２４を製氷室２２に対して姿勢変位させる水皿開閉機構２８を備えている。また、製氷機構１２は、給水手段３８から供給された製氷水や薬剤供給手段４２から供給された薬剤を貯留する製氷水タンク２６が、水皿２４の下方に該水皿２４と一体的に設けられる。実施例の製氷室２２は、熱伝導性のよい金属材料から形成され、碁盤目状に並ぶように設けられた角箱状の製氷小室２２ａで、キューブアイスとも呼ばれる角状の氷塊を生成し得るようになっている。また、製氷室２２の上面には、冷凍機１４を構成する蒸発管ＥＰが蛇行配置され、冷凍機１４の作動により蒸発管ＥＰを流通する冷媒またはホットガスとの熱交換によって製氷室２２が冷却または加熱される。
【００１５】
前記水皿２４は、一方の側端部が製氷機本体に対して支軸２４ｂを介して回動可能に支持されると共に、他方の側端部が水皿開閉機構２８を構成するカムアーム２９に対してコイルスプリング３０を介して支持される(図１参照)。水皿２４は、上面が製氷小室２２ａの下方開口を塞ぐように製氷室２２に近接した水平な閉成姿勢(図２(ａ)参照)と、製氷小室２２ａの下方開口を開放して該製氷小室２２ａからの氷塊の離脱を許容するように製氷室２２から離間した開放姿勢(図２(ｂ)または図２(ｃ)参照)との間で姿勢変位可能になっている。また、水皿２４には、各製氷小室２２ａに対応する位置に噴射孔２４ａが設けられ(図３参照)、水皿開閉機構２８により閉成姿勢に保持された状態で、製氷水タンク２６から循環ポンプ(循環手段)ＰＭによって圧送された液体を噴射孔２４ａから製氷小室２２ａに向けて噴射供給し得るようになっている。更に、水皿２４には、該水皿２４の上面から該水皿２４の下方に配設された製氷水タンク２６に連通する戻り孔(図示せず)が形成され、水皿２４の上面に受けた液体が戻り孔を介して製氷水タンク２６に流下するよう構成される。
【００１６】
前記カムアーム２９は、制御手段Ｃの制御下に正逆駆動する開閉モータＡＭに連結されて(図３参照)、開閉モータＡＭの正逆駆動に伴って正逆方向へ回転される。水皿開閉機構２８は、コイルスプリング３０が接続されたカムアーム２９の延出端を上方に位置させることで水皿２４を閉成姿勢で保持し、開閉モータＡＭの正駆動によりカムアーム２９の延出端を上方位置から下方へ回動することで水皿２４を閉成姿勢から開放姿勢に姿勢変位させる。水皿開閉機構２８は、開閉モータＡＭの逆駆動によりカムアーム２９の延出端を下方位置から上方へ回動することで、水皿２４を開放姿勢から閉成姿勢に姿勢変位させる。ここで、水皿開閉機構２８は、水皿２４の開放角度が異なる第１開放姿勢(図２(ｂ)参照)および第２開放姿勢(図２(ｃ)参照)に切り替え可能に構成され、第１開放姿勢よりも第２開放姿勢で水皿２４が大きく開放される。水皿開閉機構２８は、開閉モータＡＭの正逆駆動に伴って回動するカムアーム２９と共に回転するよう配設された検知体３２を検知センサ３３,３４,３５で検知することに基づいて、制御手段Ｃによって開閉モータＡＭが駆動制御される。検知センサは、カムアーム２９の回転に伴う検知体３２の回転軌跡に相対する位置に各姿勢に対応して配設され、検知体３２との接触による検知手段でもよいが、ホール素子等の磁気センサやフォトセンサ等の光電センサなどの非接触式の検知手段が実施例で採用されている。実施例では、カムアーム２９の延出端が上方位置にある閉成姿勢に対応して配設された閉成センサ３３と、カムアーム２９の延出端が下方位置にある第１開放姿勢に対応して配設された第１開放センサ３４と、カムアーム２９の延出端が第１開放姿勢よりも下方に位置する第２開放姿勢に対応して配設された第２開放センサ３５とを検知センサとして有している。すなわち、水皿２４を閉成姿勢から第１開放姿勢にする際には、検知体３２を第１開放センサ３４が検知することで開閉モータＡＭの正駆動を停止するよう、制御手段Ｃにより制御される(図２(ｂ)参照)。また、水皿２４を閉成姿勢から第２開放姿勢にする際には、検知体３２を第１開放センサ３４が検知しても開閉モータＡＭの正駆動を継続し、検知体３２を第２開放センサ３５が検知することで開閉モータＡＭの正駆動を停止するよう、制御手段Ｃにより制御される(図２(ｃ)参照)。更に、水皿２４を開放姿勢から閉成姿勢にする際には、検知体３２を閉成センサ３３が検知することで開閉モータＡＭの逆駆動を停止するよう、制御手段Ｃにより制御される(図２(ａ)参照)。
【００１７】
前記製氷水タンク２６は、水皿２４より一回り大きく形成された上方に開口する箱状体であって、水皿２４を内側に収容した状態で該水皿２４に固定されて、水皿２４の姿勢変位につれて姿勢変位するようになっている。製氷水タンク２６は、製氷小室２２ａの下方を塞いだ閉成姿勢で水皿２４の支軸２４ｂ側の領域が深くなるように形成されており(図２(ａ)参照)、この深く形成した部位の底部に循環ポンプＰＭの吸込口が接続される。また、製氷水タンク２６には、水皿２４の開放端側に排水口２７が設けられており(図２(ａ)参照)、閉成姿勢で排水口２７の位置まで製氷水タンク２６の内部に液体を貯留し得るようになっている。すなわち、製氷水タンク２６は、閉成姿勢で底部と排水口２７との間に製氷運転１回分の製氷に足りる必要量の製氷水が貯留され、余剰の製氷水が排水口２７から外方へオーバーフローするよう構成される。製氷水タンク２６は、第１開放姿勢で排水口２７が該製氷水タンク２６の最も深い部位よりも下がらず、該第１開放姿勢で製氷水タンク２６に貯留した液体の一部が内部に残るよう構成される。一方、製氷水タンク２６は、第２開放姿勢で排水口２７が該製氷水タンク２６の最下部になり、該第２開放姿勢で液体の全量を外部に排出し得るよう構成される。このように、実施例では、排水口２７および製氷水タンク２６を傾動させる水皿開閉機構２８によって排液手段が構成され、第１および第２開放姿勢の夫々に応じて液体の残留の有無を切り替え可能になっている。なお、製氷水タンク２６の下方には、排水皿３６が配設され(図１参照)、該製氷水タンク２６の排水口２７から排出された液体を受けて機外へ排出するようになっている。
【００１８】
前記製氷機構１２は、製氷水タンク２６から配管(図示せず)を介して水皿２４に液体を圧送する循環ポンプＰＭを備え、循環ポンプＰＭにより圧送された液体が閉成姿勢において水皿２４の噴射孔２４ａから製氷小室２２ａに噴射供給されると共に、製氷小室２２ａから流下した液体が水皿２４の戻り孔を介して製氷水タンク２６に回収される。そして、製氷機構１２では、製氷水タンク２６に回収された液体が循環ポンプＰＭによって製氷小室２２ａに再び供給される。すなわち、製氷機構１２には、循環ポンプＰＭの駆動によって、製氷水タンク２６、循環ポンプＰＭ、配管、水皿２４および製氷小室２２ａからなる循環経路に液体が循環される。循環ポンプＰＭとしては、羽根状の回転子を備えた非容積式であって、制御手段Ｃの制御下に入力される電圧と回転数とが一意的に対応する直流(ＤＣ)モータを駆動源とするポンプが用いられる。すなわち、製氷機１０では、循環ポンプＰＭに印加する電圧を制御手段Ｃにより適宜制御して、循環ポンプＰＭの回転数を変化させることが可能である。
【００１９】
前記給水手段３８は、上水道またはこの上水道から供給された水を一次貯留する貯水タンク等の水源に接続された給水管３８ａと、この給水管３８ａの流出端に設けられ、水皿２４の支軸２４ｂ側に設けられた給水部３８ｂと、電磁弁等の開閉弁やポンプ等からなる給水量を調節する給水調節部ＷＶを備えている。実施例では、上水道に繋がった給水管３８ａの途中に給水調節部としての給水弁ＷＶが配設され、制御手段Ｃの制御下に所定のタイミングで給水弁ＷＶを開閉して、製氷水を給水部３８ｂから水皿２４の上面に供給している。ここで、給水手段３８は、給水の開始から所定の給水時間をカウントするタイマや、製氷水タンク２６に貯留された製氷水の量を検知するフロートスイッチなどから制御手段Ｃに入力される信号に基づき給水調節部(給水弁ＷＶ)が制御され、実施例では、給水弁ＷＶを開放してから給水タイマ４０(図４参照)が所定の給水時間をカウントすると給水弁ＷＶを閉じるように制御手段Ｃで制御される。例えば、製氷機１０は、水皿２４の閉成姿勢(実施例)または開放姿勢から閉成姿勢に戻す途中で給水手段３８から製氷水を供給することで、水皿２４の戻り孔を介して製氷水タンク２６に流下した製氷水が製氷運転または洗浄運転で使用される。また、製氷機１０では、除氷運転初期の水皿２４の開放姿勢で給水手段３８から製氷水を供給することで、水皿２４の上面に付着した氷片等を洗い流したり、製氷運転終了時に水皿２４の閉成姿勢で給水手段３８から製氷水を供給することで、製氷小室２２ａに生成された氷塊と水皿２４との氷結状態を解除する等、種々のタイミングで製氷水を供給している。
【００２０】
図１に示すように、前記薬剤供給手段４２は、薬剤を貯留する薬剤タンク４３と、この薬剤タンク４３から水皿２４に薬剤を導く薬剤配管４４と、電磁弁等の開閉弁やポンプ等からなる薬剤の供給量を調節する薬剤調節部４５とを備えている。実施例では、薬剤調節部としての薬剤ポンプ４５を有し、薬剤配管４４の給出端が給水部３８ｂに接続される。薬剤供給手段４２は、制御手段Ｃの制御下に所定のタイミングで薬剤ポンプ４５を駆動することで、薬剤を給水部３８ｂから水皿２４の上面に供給している。また、実施例では、薬剤ポンプ４５の駆動と共に計時を開始する薬剤タイマ４６(図４参照)によって所定の薬剤供給時間を計時した際に薬剤ポンプ４５の駆動を停止するよう、制御手段Ｃにより制御される。薬剤供給手段４２は、特別洗浄モードでの洗浄運転において、製氷水タンク２６に薬剤を供給するようになっている。薬剤としては、カルシウムやマグネシウム等の水道水に含まれるミネラル分を主成分とするスケールを溶解するためのヒドロキシ酢酸やリン酸などのスケール除去剤や、循環経路を殺菌するための次亜塩素酸ナトリウム等の殺菌剤など、水道水の性状や製氷機１０の使用環境などに応じて、薬剤を薬剤タンク４３に入れ替えて変更可能である。
【００２１】
前記冷凍機１４は、図１に示すように、圧縮機ＣＭ、凝縮器ＣＤ、この凝縮器ＣＤを冷却する冷却ファンＦＭ、膨張弁ＥＶおよび蒸発管ＥＰを備え、圧縮機ＣＭ、凝縮器ＣＤ、膨張弁ＥＶおよび蒸発管ＥＰを、冷媒配管１４ａで順次連結して冷凍回路を構成している。また、冷凍機１４は、冷凍回路に加えて、除氷運転時に、凝縮器ＣＤおよび膨張弁ＥＶを介さず圧縮機ＣＭから高温冷媒(ホットガス)を蒸発管ＥＰに直接供給するバイパス管１５を備えている。バイパス管１５は、圧縮機ＣＭの吐出側と蒸発管ＥＰの吸込み側とを連結するように設けられ、このバイパス管１５の途中にホットガス弁ＨＶが配設される。冷凍機１４は、圧縮機ＣＭ、冷却ファンＦＭおよびホットガス弁ＨＶが制御手段Ｃで作動制御され、製氷運転においてホットガス弁ＨＶを閉成したもとで圧縮機ＣＭおよび冷却ファンＦＭを駆動して、冷凍回路を冷媒が循環し、蒸発管ＥＰによって製氷室２２が冷却される。また、冷凍機１４は、除氷運転においてホットガス弁ＨＶを開放したもとで圧縮機ＣＭを駆動すると共に冷却ファンＦＭを停止して、バイパス管１５を介してホットガスが蒸発管ＥＰに供給され、蒸発管ＥＰによって製氷室２２が加熱される。更に、冷凍機１４は、洗浄運転において圧縮機ＣＭおよび冷却ファンＦＭを停止して、蒸発管ＥＰによって製氷室２２を冷却または加熱しないようになっている。
【００２２】
図５に示すように、前記製氷機１０は、製氷運転において、給水タイマ４０の計時のもとに所定の給水時間に亘って給水手段３８によって製氷水タンク２６に製氷水を所定量供給する(図５：ステップＳ１〜Ｓ２)。循環ポンプＰＭを駆動することで(ステップＳ３)、閉成姿勢に保持された水皿２４の噴射孔２４ａから製氷水タンク２６の製氷水が噴射し、蒸発管ＥＰとの熱交換により冷却された製氷室２２の製氷小室２２ａに製氷水を供給することで、製氷小室２２ａで製氷水が次第に氷結して氷が生成される。この際、製氷小室２２ａで氷結せずに流れ落ちた製氷水が戻り孔を介して製氷水タンク２６に回収され、循環ポンプＰＭによって製氷小室２２ａに再び供給される。製氷機１０は、運転切替手段ＴＨが所定の運転切り替え条件を検知した際に、製氷小室２２ａに所定の大きさの氷塊が生成されたと判断した制御手段Ｃによって、循環ポンプＰＭが停止されて製氷運転が終了される(ステップＳ４〜Ｓ５)。運転切替手段ＴＨは、製氷室２２や蒸発管ＥＰに配設された温度センサや、製氷運転の開始から所定の製氷時間をカウントするタイマや、製氷水タンク２６に貯留された製氷水の量を検知するフロートスイッチなどを単体または組み合わせて用いることができる。実施例の製氷機１０では、蒸発管ＥＰの冷媒流出側に配設されて該蒸発管ＥＰを流通する冷媒の温度を検知することで製氷室２２の温度を間接的に検知する温度センサからなる運転切替手段ＴＨが採用され、運転切り替え条件として予め設定された製氷完了温度を製氷運転において運転切替手段ＴＨが検知したことに基づいて制御手段Ｃにより製氷運転が終了される。
【００２３】
図５に示すように、前記製氷機１０は、除氷運転において、蒸発管ＥＰとの熱交換により製氷室２２が加熱され、開閉モータＡＭが正駆動されて水皿２４が閉成姿勢から第１開放姿勢まで傾動される(図５：ステップＳ１１〜Ｓ１３)。製氷機１０は、製氷水タンク２６が排水口２７が下方に位置するように傾くことで、製氷運転で製氷水タンク２６に残った製氷水や除氷運転に際して給水手段３８から供給された融氷水の一部が排水口２７を介して排水皿３６に排出される。製氷機１０では、製氷室２２の加熱により氷塊と製氷小室２２ａとの氷結面が次第に融解し、自重により製氷小室２２ａから離脱した氷塊が水皿２４の上面傾斜に案内されて貯氷室２０ａに滑り落ちる。製氷機１０は、運転切替手段ＴＨが所定の運転切り替え条件を検知した際に、製氷小室２２ａから氷塊が離脱したと判断した制御手段Ｃによって、蒸発管ＥＰによる製氷室２２の加熱が停止されると共に(ステップＳ１４〜Ｓ１５)、開閉モータＡＭが逆駆動されて水皿２４が第１開放姿勢から閉成姿勢まで戻され(ステップＳ１６〜Ｓ１８)、除氷運転が終了される。運転切替手段ＴＨは、製氷室２２や蒸発管ＥＰに配設された温度センサや、除氷運転の開始から所定の除氷時間をカウントするタイマなどを単体または組み合わせて用いることができる。実施例の製氷機１０では、製氷完了温度を検知する温度センサが除氷運転において運転切り替え条件として予め設定された除氷完了温度を検知する運転切替手段ＴＨとして兼用され、除氷完了温度を除氷運転において運転切替手段ＴＨが検知したことに基づいて制御手段Ｃにより除氷運転を終了させるよう、冷凍機１４や水皿開閉機構２８等の機器が作動制御される。このように、通常の製氷サイクルでの除氷運転において、製氷水タンク２６の製氷水を一部残すように排水することで、追加供給する製氷水の量を減らすことができると共に、給水時間を短くして製氷効率を向上させることができる。
【００２４】
前記製氷機１０には、貯氷室２０ａでの貯氷量を検知する貯氷検知手段４８が貯氷庫２０に設けられ、貯氷検知手段４８が氷塊を検知するまでは、洗浄運転を除いて前記製氷サイクルを継続するように制御手段Ｃで各機器が作動制御される。また、貯氷検知手段４８が氷塊を検知したことが制御手段Ｃに入力されると、製氷サイクルを停止するよう制御手段Ｃにより各機器が作動制御される。
【００２５】
前記洗浄運転は、貯氷検知手段４８が満氷を検知しているタイミングや、製氷サイクル中の所定タイミング等、水道水の性状や製氷機１０の使用環境などによる汚れ具合に応じて実施される。例えば製氷機１０では、操作手段１６の手動操作により洗浄運転に切り替えたり、製氷サイクル、製氷運転または除氷運転の繰り返し数をカウントするカウンタや、製氷サイクルを行った運転時間や洗浄運転を行っていない経過時間をカウントするタイマなどの洗浄判定手段が所定の洗浄開始条件を判定した際に洗浄運転に自動的に切り替え可能とすることができる。また、洗浄判定手段は、循環経路でのスケール等の蓄積の検出に基づいて洗浄運転の開始を判定してもよい。すなわち、製氷運転、除氷運転または所定回の製氷サイクルにかかる時間をタイマで計り、通常の条件でかかる時間よりも実測した時間が長くなれば、製氷室２２にスケールが付着して熱交換効率が低下したり、循環経路に付着したスケールにより循環経路を循環する水量が低下したことが類推でき、これにより間接的にスケールの蓄積を検出することができる。洗浄判定手段の洗浄開始条件は、操作手段１６から任意に設定変更可能であり、カウンタのカウント数やタイマの設定時間が、水道水の性状や製氷機１０の使用環境などによる汚れ具合に応じて適宜変更される。
【００２６】
実施例の洗浄判定手段は、製氷サイクル(除氷運転)を終了する毎にカウントする洗浄カウンタ５０を備えている。また、洗浄判定手段は、洗浄運転に移行する度にカウントする特別カウンタ５１を備え、この特別カウンタ５１によって通常洗浄モードと特別洗浄モードとに切り替えるようになっている。実施例の製氷機１０は、各製氷サイクルにおいて除氷運転を終了する度に洗浄カウンタ５０が加算され(図５：ステップＳ２１)、洗浄カウンタ５０が予め設定された設定サイクル数に達するまでは製氷サイクルが繰り返される一方(ステップＳ２２：ＮＯ)、洗浄カウンタ５０が設定サイクル数に達すると洗浄運転に移行するよう制御手段Ｃにより制御される(ステップＳ２２：ＹＥＳ)。製氷機１０は、洗浄運転に移行すると、特別カウンタ５１が加算され(ステップＳ２３)、特別カウンタ５１が予め設定された設定カウント数に達していなければ、洗浄カウンタ５０をクリアして通常洗浄モードによる洗浄運転を行うよう制御手段Ｃにより制御される(ステップＳ２４：ＮＯ,ステップＳ２５)。これに対して、製氷機１０は、特別カウンタ５１が設定カウント数に達すれば、特別カウンタ５１および洗浄カウンタ５０をクリアして特別洗浄モードによる洗浄運転を行うよう制御手段Ｃにより制御される(ステップＳ２４：ＹＥＳ,ステップＳ２６)。すなわち、実施例の製氷機１０は、洗浄カウンタ５０によって製氷サイクルを設定サイクル数繰り返す毎に洗浄運転を行うよう構成される。また、製氷機１０は、特別カウンタ５１によって洗浄運転において設定カウント数毎に１回の特別洗浄モードでの洗浄運転行い、その他は通常洗浄モードでの洗浄運転を行うよう自動的に切り替えられる。
【００２７】
前記製氷機１０は、洗浄カウンタ５０で洗浄開始条件を満たしたことが制御手段Ｃに入力されると、報知部によって洗浄運転の実施または洗浄運転を手動で開始する設定であれば洗浄運転の開始を促す旨の報知を制御手段Ｃの制御下に行うようになっている。報知部は、液晶などの視覚的な前記表示手段１８やブザー音や合成音声などの聴覚的な音出力手段を単体または組み合わせて用いることができ、実施例では機外から視認可能な前記表示手段１８において洗浄運転を報知するようになっている。
【００２８】
図６および図８に示す通常洗浄モードによる洗浄運転では、制御手段Ｃにより圧縮機ＣＭおよび冷却ファンＦＭが停止制御されると共にホットガス弁ＨＶが閉成制御され、製氷室２２を冷却または加熱しない状態とされる。また、開閉モータＡＭが正駆動されて水皿２４が閉成姿勢から第２開放姿勢まで傾動される(図６：ステップＳ３１〜Ｓ３２)。製氷機１０は、製氷水タンク２６が第２開放姿勢に傾くことで、製氷水等の全部が排水口２７を介して排水皿３６に排出され、製氷水タンク２６が空になる。水皿２４が第２開放姿勢となってから所定の排水時間待機した後に、開閉モータＡＭが逆駆動されて水皿２４が第２開放姿勢から閉成姿勢まで戻される(ステップＳ３３〜Ｓ３５)。給水タイマ４０の計時のもとに所定の給水時間に亘って給水手段３８によって製氷水タンク２６に製氷水が所定量供給される(ステップＳ３６〜Ｓ３７)。循環ポンプＰＭを駆動することで(図６：ステップＳ４１)、閉成姿勢にある水皿２４の噴射孔２４ａから製氷水タンク２６に貯留した製氷水を製氷小室２２ａに噴射供給し、循環経路を循環する製氷水の水勢により該循環経路の異物を押し流す。ここで、循環ポンプＰＭを駆動すると共に洗浄タイマ５４で洗浄時間の計時を開始し、予め設定された洗浄時間に亘って製氷水を循環経路に循環させる(ステップＳ４２)。洗浄時間を経過すると循環ポンプＰＭを停止し(ステップＳ４３)、通常洗浄モードによる洗浄運転が終了される。
【００２９】
図７および図９に示す特別洗浄モードによる洗浄運転では、制御手段Ｃにより圧縮機ＣＭおよび冷却ファンＦＭが停止制御されると共にホットガス弁ＨＶが閉成制御され、製氷室２２を冷却または加熱しない状態とされる。また、開閉モータＡＭが正駆動されて水皿２４が閉成姿勢から第２開放姿勢まで傾動される(図７：ステップＳ５１〜Ｓ５２)。製氷機１０は、製氷水タンク２６が第２開放姿勢まで傾くことで、製氷水タンク２６に貯留した製氷水の全部が排水口２７を介して排水皿３６に排出され、製氷水タンク２６が空になる。水皿２４が第２開放姿勢となってから所定の排水時間待機した後に、開閉モータＡＭが逆駆動されて水皿２４が第２開放姿勢から閉成姿勢まで戻される(ステップＳ５３〜Ｓ５５)。薬剤タイマ４６の計時のもとに所定の薬剤供給時間に亘って薬剤供給手段４２によって製氷水タンク２６に薬剤が所定量供給される(ステップＳ６１〜Ｓ６２)。循環ポンプＰＭを駆動することで(図７：ステップＳ６３)、閉成姿勢にある水皿２４の噴射孔２４ａから製氷水タンク２６に貯留した薬剤を製氷小室２２ａに噴射供給し、循環経路を循環する薬剤の水勢および化学的作用により該循環経路の異物を除去する。ここで、循環ポンプＰＭを駆動すると共に洗浄タイマ５４で洗浄時間の計時を開始し、予め設定された洗浄時間に亘って薬剤を循環経路に循環させる(ステップＳ６４)。洗浄時間を経過すると循環ポンプＰＭを停止して(ステップＳ６５)、開閉モータＡＭを正駆動して水皿２４を閉成姿勢から第２開放姿勢まで傾動し(ステップＳ７１〜Ｓ７２)、製氷水タンク２６の薬剤を全量排出する。水皿２４が第２開放姿勢となってから所定の排水時間待機した後に、開閉モータＡＭが逆駆動されて水皿２４が第２開放姿勢から閉成姿勢まで戻され(ステップＳ７３〜Ｓ７５)、薬剤洗浄工程を終える。
【００３０】
実施例の特別洗浄モードでは、薬剤洗浄工程の後にすすぎ工程が行われる。すすぎ工程では、給水タイマ４０の計時のもとに所定の給水時間に亘って給水手段３８によって製氷水タンク２６に製氷水が所定量供給される(図７：ステップＳ８１〜Ｓ８２)。循環ポンプＰＭを駆動することで(ステップＳ８３)、閉成姿勢にある水皿２４の噴射孔２４ａから製氷水タンク２６に貯留した製氷水を製氷小室２２ａに噴射供給し、循環経路を循環する製氷水により該循環経路をすすぐ。ここで、循環ポンプＰＭを駆動すると共に洗浄タイマ５４で洗浄時間の計時を開始し、予め設定された洗浄時間に亘って製氷水を循環経路に循環させる(ステップＳ８４)。洗浄時間を経過すると循環ポンプＰＭを停止し(ステップＳ８５)、開閉モータＡＭを正駆動して水皿２４を閉成姿勢から第２開放姿勢まで傾動し(ステップＳ８６〜Ｓ８７)、製氷水タンク２６のすすぎ水を全量排出する。水皿２４が第２開放姿勢となってから所定の排水時間待機した後に、開閉モータＡＭが逆駆動されて水皿２４が第２開放姿勢から閉成姿勢まで戻され(ステップＳ８８〜Ｓ９０)、特別洗浄モードによる洗浄工程を終了する。
【００３１】
前記製氷機１０は、特別洗浄モードでのすすぎ工程の回数を操作手段１６から設定可能に構成され、使用する薬剤の強さ等に応じて１回または２回以上のすすぎ工程を行うよう、制御手段Ｃで各機器が作動制御される。製氷機１０は、操作手段１６からすすぎ回数を設定変更可能なすすぎカウンタ５６を有し(図４参照)、閉成姿勢にある製氷水タンク２６に製氷水を供給してから所定のすすぎ時間に亘って循環経路をすすぎ、製氷水タンク２６を第２開放姿勢に傾動してから閉成姿勢に戻すまでの一連のすすぎ工程(図７：ステップＳ８１〜Ｓ９０)が終了する毎にすすぎカウンタ５６が加算され、すすぎカウンタ５６が設定すすぎ回数に達するまですすぎ工程が繰り返される。そして、すすぎカウンタ５６が設定すすぎ回数をカウントすると、特別洗浄モードでの洗浄運転が終了される。
【００３２】
前記製氷機１０は、洗浄運転の後に除氷運転から製氷サイクルを行うよう構成される。通常洗浄モードによる洗浄運転後の除氷運転では、図８に示すように、水皿２４を第２開放姿勢まで開放するように制御手段Ｃにより作動制御し、洗浄運転の洗浄水を全量排出するようになっている。なお、製氷機１０では、洗浄運転や貯氷検知手段４８による満氷検知等により停止した圧縮機ＣＭを駆動開始する際に、所定の保護時間を経過した後に圧縮機ＣＭを駆動するよう制御される。
【００３３】
〔実施例の作用〕
次に、実施例に係る製氷機１０の作用について説明する。製氷水で循環経路を洗浄する通常洗浄モードによる洗浄運転は、冷凍機１４による製氷室２２の冷却または加熱を行わないと共に洗浄時間を管理するだけで、給水手段３８、水皿開閉機構２８、循環ポンプＰＭ等の各機器を製氷運転と同様に制御するだけなので、制御手段Ｃの制御下に既存の構成を用いて容易に自動実施することができる。また、通常洗浄モードは、製氷水で循環経路を洗浄するので、薬剤の供給や薬剤の排水や洗浄運転後の氷塊への薬剤混入の防止などを配慮する必要がなく、製氷機本体のパネルの取り外しや電源のＯＮ・ＯＦＦや弁の手動操作などの使用者にとって煩雑な作業を行わなくてもよい。すなわち、通常洗浄モードは、手間なく比較的短時間で行うことができるので、通常洗浄モードを行うことによる製氷効率への影響を最小限にできる。製氷機１０は、薬剤で循環経路を洗浄する特別洗浄モードによる洗浄運転によって、製氷水の水勢だけでは取り除くことができないスケールの除去や殺菌等を薬剤の化学的作用で行うことができ、製氷小室２２ａでの熱交換効率を好適に回復させたり、循環経路での製氷水の流通抵抗を低下させたり、得られる氷塊の清浄度を向上させることができる。このように、製氷機１０は、循環経路への異物の付着度合いや製氷水の性状や使用環境などに応じて、製氷水によって循環経路を洗浄する通常洗浄モードと薬剤によって循環経路を洗浄する特別洗浄モードとを選択して洗浄運転を行うことができるので、製氷効率を損なうことなく得られる氷塊の清浄度を向上させることができる。また、洗浄運転は、通常洗浄モードおよび特別洗浄モードの何れもが制御手段Ｃの制御下に該当機器が作動制御されて自動的に行われるので、洗浄運転にかかる使用者の手間を大幅に軽減し得る。そして、特別洗浄モードにおいて、薬剤による循環経路の洗浄を行った後に、製氷水によって循環経路のすすぎを行うので、洗浄運転直後の製氷サイクルで生成された氷塊を除去することなくそのまま用いることができる。また、すすぎを行うことで、薬剤による循環経路の腐蝕等を防ぐことができ、循環経路を保護することができる。しかも、洗浄判定手段５０,５１によって洗浄運転の開始およびモードの選択が自動的に行われるので、洗浄運転忘れなどを防止することができ、使用者の管理の手間を軽減できる。
【００３４】
(変更例)
前述した実施例に限定されず、例えば以下のように変更してもよい。
(１)実施例では、クローズドセルタイプの製氷機構を備えた製氷機で説明したが、オープンセルや流下式の製氷機構を備えた製氷機であってもよい。また、クローズドセルタイプの製氷機構であっても、製氷室の側方に開放した開口を横方向に移動する水皿で開閉する構成でもよい。
(２)排液手段の構成は実施例に限定されず、製氷水タンクに設けた排水管に管路を開閉する排水弁を配設した構成や、循環ポンプの吐出側の配管系路を切り替え弁で切り替えることで排水する構成や、循環ポンプと別のポンプで排水する構成など種々の構成を採用し得る。
(３)洗浄判定手段は、スケールの蓄積量に応じて洗浄運転の開始およびモードの切り替えを行ってもよい。例えば洗浄判定手段は、製氷運転、除氷運転または所定回の製氷サイクルにかかる時間をタイマで計るよう構成してもよい。この場合、通常の条件でかかる時間よりも実測時間が長くなると共に該実測時間が設定値よりも短ければ通常洗浄モードを行い、実測時間が設定値よりも長ければ特別洗浄モードに切り替えるよう制御手段により作動制御される。
(４)洗浄判定手段によって洗浄運転の開始時期を検出する構成において、報知部による洗浄運転開始の報知は様々な方法で行うことができる。例えば洗浄判定手段で洗浄運転の開始時期を検出した際に報知部の洗浄終了表示が消えることで、洗浄運転を通知する構成であれば、報知部の故障により洗浄終了表示が消えても機器の清浄度への影響が小さい。また、洗浄判定手段で洗浄運転の開始時期を検出した際に報知部の洗浄表示を点灯させたり、ブザーを鳴らしてもよい。また、洗浄終了表示の消灯と洗浄表示の点灯を組み合わせてもよい。このように、洗浄判定手段の洗浄運転開始の判定に基づいて報知部で報知する構成とすることで、特に手動操作で洗浄運転を開始する場合において洗浄運転忘れを回避することができ、使用者の特性などに応じた洗浄スケジュールを確実に実施できる。
(５)通常洗浄モードの洗浄時間と特別洗浄モードの洗浄時間とは同じであっても別々に設定してもよい。また、すすぎ工程での洗浄時間は、薬剤による洗浄時間と同じであっても変更してもよい。
【００３５】
(６)薬剤を製氷水タンクに自動供給する薬剤供給手段を設けず、薬剤を使用者が投入する場合は、特別洗浄モードにおいて水皿開閉機構、循環ポンプやその他の製氷機構の各機器を停止する薬剤供給期間が設けられる。この薬剤供給期間は、報知部によって該薬剤供給期間にあることが報知される。そして、使用者が薬剤供給後に操作手段により薬剤供給の終了を入力することで、循環ポンプ等の機器が駆動され、特別洗浄モードが進行される。このように、薬剤供給時期に機器を停止させることで、薬剤を安全に供給することができる。
【符号の説明】
【００３６】
１４ 冷凍機，２２ 製氷室(製氷部)，２６ 製氷水タンク，
２７ 排水口(排液手段)，２８ 水皿開閉機構(排液手段)，
３８ 給水手段，４２ 薬剤供給手段，Ｃ 制御手段，
ＰＭ 循環ポンプ(循環手段)
【図１】
2013245923.tif 000003
【図２】
2013245923.tif 000004
【図３】
2013245923.tif 000005
【図４】
2013245923.tif 000006
【図５】
2013245923.tif 000007
【図６】
2013245923.tif 000008
【図７】
2013245923.tif 000009
【図８】
2013245923.tif 000010
【図９】
2013245923.tif 000011